(57)【要約】【課題】浮歩道の全長を長めにとることなく水位変動に対応でき、かつ、水位が下がっても湖沼の露出した傾斜面に着地することのない浮歩道の連結構造を提供する。【解決手段】岸に、案内部５を湖沼の底面から立ち上がる側面１ａに沿って上下に延在するようにして設置し、この案内部５にスライダ８を案内部５の長手方向にスライド自在に設け、このスライダ８に前記浮歩道２の端部を連結する。したがって、湖沼の水位の低下に伴って浮歩道が下降していき、この浮歩道の下降に伴ってスライダが案内部に沿ってスライドして下降していくので、浮歩道をほぼ一直線状に配置できるので、浮歩道の全長を長めにとることなく、水位変動に対応できる。また、水位の低下に伴ってスライダが案内部に沿ってスライドして下降していくので、浮歩道の両端側の浮体は常に水面に浮いており、露出した傾斜面に、浮歩道の両端側の浮体の底部が着地することがない。【選択図】　　　　図１
2004044174.tif 000002
【特許請求の範囲】
【請求項１】
水面に浮く浮歩道の両端部をそれぞれ湖沼の岸に連結する浮歩道の連結構造であって、
前記岸に、案内部が前記湖沼の底面から立ち上がる側面に沿って上下に延在するようにして設置され、この案内部にスライダが案内部の長手方向にスライド自在に設けられ、
このスライダに前記浮歩道の端部が連結されていることを特徴とする浮歩道の連結構造。
【請求項２】
請求項１に記載の浮歩道の連結構造において、
前記案内部は、この案内部の長手方向に沿う歩行路を備えていることを特徴とする浮歩道の連結構造。
【請求項３】
請求項２に記載の浮歩道の連結構造において、
前記案内部は、前記歩行路の両側に設けられた手摺部を備えていることを特徴とする浮歩道の連結構造。
【請求項４】
請求項１〜３のいずれか一項に記載の浮歩道の連結構造において、
前記案内部が、前記側面に沿って上下に延在し、かつ左右に平行離間する一対の案内ロッドを備え、
前記一対の案内ロッドにそれぞれスライダが案内ロッドの長手方向にスライド自在に設けられ、
一対の前記スライダに、前記浮歩道の端部の両側部がそれぞれ連結されていることを特徴とする浮歩道の連結構造。
【発明の詳細な説明】
【０００１】
【発明の属する技術分野】
本発明は、湖沼等を横断する際に使用される浮歩道の岸への連結構造に関するものである。
【０００２】
【従来の技術】
例えばダム湖においては、ダム湖の点検用あるいはレクリエーション用としてダム湖横断用の浮歩道を設ける場合がある。浮歩道の一例として、例えば、特開平７−１９７４１９号公報に記載のものが知られている。この公報に記載の技術は、水面に浮く浮体を複数一列に連結して浮歩道を構成し、この浮歩道の両端部をそれぞれ岸に係留しており、浮歩道の全長を係留地点間の距離より所定長さだけ長くしている。
【０００３】
このように前記浮歩道は、その全長を係留地点間の距離より所定長さだけ長くしているので、夏場の渇水期や放流によって水位が下がった場合には、浮歩道の余長で対応できる。すなわち、水位が下がった場合、ダム湖の周囲の露出してきた傾斜面に沿って浮歩道の端部側の浮体が着地し、これによって係留地に過大な力が作用しないようになっている。
【０００４】
【発明が解決しようとする課題】
このように従来の浮歩道では、その全長を係留地点間の距離より所定長さだけ長くしているので、水位が高い場合には、浮歩道自体が水面で蛇行した状態となっている。したがって、浮歩道上の歩行時間が長くなったり、安定的な歩行が行い難いという問題がある。
また、渇水期に水位が下がって、ダム湖の傾斜面が露出してくると、この露出した傾斜面に浮歩道の両端部、すなわち浮歩道の両端側の浮体の底部が着地するので、浮歩道の端部の底面と傾斜面との間の摩擦によって、浮歩道の端部の底面が損傷するという問題もある。
【０００５】
本発明は上記事情に鑑みてなされたもので、浮歩道の全長を長めにとることなく水位変動に対応でき、かつ、水位が下がっても湖沼の露出した傾斜面に端部が着地することのない浮歩道の連結構造を提供することを目的としている。
【０００６】
【課題を解決するための手段】
上記目的を達成するために、請求項１に記載の発明は、例えば図１〜図４に示すように、水面に浮く浮歩道２の両端部をそれぞれ湖沼１の岸に連結する浮歩道の連結構造であって、
前記岸に、案内部５が前記湖沼１の底面から立ち上がる側面１ａに沿って上下に延在するようにして設置され、この案内部５にスライダ８が案内部５の長手方向にスライド自在に設けられ、
このスライダ８に前記浮歩道２の端部が連結されていることを特徴とする。
【０００７】
請求項１に記載の発明によれば、湖沼の水位が低くなるに伴って浮歩道が下降していき、この浮歩道の下降に伴ってスライダが案内部に沿ってスライドして下降していく。したがって、水位が高い状態に合わせて浮歩道を蛇行させることなく、ほぼ一直線状に配置できるので、浮歩道の全長を長めにとることなく、水位変動に対応できる。
また、水位が低くなるに伴ってスライダが案内部に沿ってスライドして下降していくので、浮歩道の両端部は常に水面に浮いており、露出した傾斜面に、浮歩道の両端部の底部が着地することがない。したがって、浮歩道の端部の底面と傾斜面との間の摩擦に起因する浮歩道端部の破損がない。
【０００８】
請求項２に記載の発明は、請求項１に記載の浮歩道の連結構造において、
前記案内部５は、この案内部５の長手方向に沿う歩行路１０を備えていることを特徴とする。
【０００９】
前記歩行路は、湖沼の底面から立ち上がる側面に沿うような階段が望ましいが、傾斜した歩行路でもよい。
【００１０】
請求項２に記載の発明によれば、水位が低くなるに伴ってスライダとともに浮歩道が下降していくが、案内部が、この案内部の長手方向に沿う歩行路を備えているので、浮歩道が低くなっても歩行路を通って浮歩道に容易に到達できる。
【００１１】
請求項３に記載の発明は、請求項２に記載の浮歩道の連結構造において、
前記案内部５は、前記歩行路１０の両側に設けられた手摺部１２を備えていることを特徴とする。
【００１２】
請求項３に記載の発明によれば、歩行路の両側に手摺部が設けられているので、歩行路を安全に歩行できる。
【００１３】
請求項４に記載の発明は、請求項１〜３のいずれかに一項に記載の浮歩道の連結構造において、
前記案内部５が、前記側面１ａに沿って上下に延在し、かつ左右に平行離間する一対の案内ロッド６，６を備え、
前記一対の案内ロッド６，６にそれぞれスライダ８が案内ロッド６の長手方向にスライド自在に設けられ、
一対の前記スライダ８，８に、前記浮歩道２の端部の両側部がそれぞれ連結されていることを特徴とする。
【００１４】
請求項４に記載の発明によれば、一対の案内ロッドのそれぞれにスライダがスライド自在に設けられ、該スライダに浮歩道の両側部がそれぞれ連結されているので、浮歩道の端部はその横揺れが防止されて、水位の低下に伴ってスムーズに下降していく。また、浮歩道の端部の横揺れが防止されているので、浮歩道に安定的に岸から乗り移ることができる。
【００１５】
【発明の実施の形態】
以下、図面を参照して本発明の実施の形態について説明する。
これらの図において、符号１はダム湖、符号２は浮歩道を示す。浮歩道２は、水面に浮く浮体４を多数一列にワイヤや連結器（車両や浮体等どうしを上下左右に揺動可能に連結する構造を有するもの）等によって連結してなるものであり、満水時において一直線状になってダム湖１を横断できる長さに設定されている。
【００１６】
ダム湖１の岸には案内部５が設置されている。この案内部５は左右一対の案内ロッド６，６を備えており、これら案内ロッド６，６は、ダム湖１の底面から傾斜して立ち上がる傾斜側面１ａに沿って上下に延在するものであり、多数のアンカ７…によって、地盤に支持固定されている。また、案内ロッド６は、その上端部がダム湖１の満水時おける水面より上方に突出し、上端部より下方が水中に没しており、また、下端部がダム湖１の渇水時における水面より下方に位置するような長さに設定されている。このように案内ロッド６は、その上端部以外は、水中に没する頻度が高いので、錆びない材料または防錆処理がされた材料で形成されている。案内ロッド６の材料としては例えばステンレスが好適である。
【００１７】
一対の案内ロッド６，６には、それぞれスライダ８が案内ロッド６の長手方向にスライド自在に取り付けられている。このスライダ８は、図４に示すように、開環筒状のものであり、その内周面の周方向の長さは、案内ロッド６の外周の長さの半分より長くなっている。これによって、スライダ８は案内ロッド６からの径方向外側への抜け出が防止されている。
そして、図３に示すように、一対のスライダ８，８に、浮歩道２の端部側の浮体４の両側部がそれぞれ連結されている。なお、図１に示すように、この端部側の浮体４の、ダム湖１の傾斜面１ａ側の底部は、案内ロッド６とほぼ平行になるような傾斜部となっている。したがって、浮体４は案内ロッド６，６に沿ってスムーズにスライドできる。
【００１８】
また、一対の案内ロッド６，６間には、図２および図３に示すように、歩行路１０が設けられている。この歩行路１０は、案内ロッド６の長手方向に沿って設けられたもので、階段で構成されている。一対の案内ロッド６，６には、階段側に向けて延出する支持部１１…が案内ロッド６の長手方向に一定間隔で固定されており、これら支持部１１…の先端部に階段の側板が固定されている。したがって、階段で構成された歩行路１０は、一対の案内ロッド６，６によって支持されている。
案内ロッド６には支持部１１…が固定されているが、この案内ロッド６をスライドするスライダ８は、上述したように、開環筒状となっているので、この開いた部分を、支持部１１側に向けることによって、スライダ８は支持部１１に干渉することなく、スムーズに案内ロッド６をスライドできる。
【００１９】
また、歩行路１０両側にはそれぞれ手摺部１２が設けられている。この手摺部１２は案内ロッド６と平行に設けられた手摺１２ａと、この手摺１２ａを支持する複数の手摺子１２ｂ…とで構成されている。手摺子１２ｂ…は案内ロッド１２ａとほぼ直角に設けられたものであり、その下端部は階段の側板に固定されている。
【００２０】
次に上記構成の浮歩道の連結構造の作用について説明すると、まず、ダム湖１が満水状態の場合は、図１に示すように、浮歩道２はダム湖１を横断するようにほぼ一直線状に配置され、この状態において案内部５の上端部が水面から突出しており、上端部より下方が水中に没している。そして、浮歩道２の端部側の浮体４は、ダム湖１の岸の平面部とほぼ面一になっており、この浮体４に、岸から直接載って、浮歩道２を渡ることができる。
【００２１】
一方、渇水期等において、ダム湖１の水位が低下すると、これに伴って浮歩道２が下降していく。すると、浮歩道２に連結されているスライダ８，８が案内ロッド６，６に沿ってスライドして下降していく。したがって、水位が高い状態に合わせて浮歩道２を蛇行させることなく、ほぼ一直線状に配置できるので、浮歩道２の全長を長めにとることなく、水位変動に対応できる。
また、水位が低くなるに伴ってスライダ８，８が案内ロッド６，６に沿ってスライドして下降していくので、浮歩道２の両端側の浮体４は常に水面に浮いており、露出した傾斜面１ａに、浮歩道２の両端側の浮体４の底部が着地することがない。したがって、浮体４の底面と傾斜面１ａとの間の摩擦に起因する浮体の破損がない。
【００２２】
また、一対の案内ロッド６，６のそれぞれにスライダ８，８がスライド自在に取り付けられ、該スライダ８，８に端部側の浮体４の両側部がそれぞれ連結されているので、端部側の浮体４はその横揺れが防止されて、水位の低下に伴ってスムーズに下降していく。また、端部側の浮体４の横揺れが防止されているので、浮体４に安定的に岸から乗り移ることができる。
【００２３】
さらに、ダム湖１の水位が低くなるに伴ってスライダ８とともに浮歩道２が下降していくが、案内部５が、この案内部５の長手方向に沿う階段で構成された歩行路１０を備えているので、浮歩道２が低くなっても歩行路１０を通って浮歩道２に容易に到達できる。
また、歩行路１０の両側に手摺部１２が設けられているので、歩行路１０を安全に歩行できる。
【００２４】
なお、本実施の形態では、案内部５を一対の平行な案内ロッド６，６によって構成したが、案内部はこれに限ることなく、ダム湖１等の湖沼の傾斜面１ａに沿って形成された凹溝や凸条によって構成してもよい。この場合、スライダを凹溝や凸条から外れることなく、これら凹溝や凸条をスライドできる形状にすればよい。
また、本実施の形態では、浮体４を多数一列にワイヤや連結器等によって連結することによって浮歩道２を構成したが、浮歩道はこれに限ることなく、水面に浮いて、波や風等の外力によって上下左右方向に撓むことができるものであればよい。
【００２５】
【発明の効果】
以上説明したように、請求項１に記載の発明によれば、湖沼の水位低下に伴う浮歩道の下降に伴って、浮歩道の端部が連結されたスライダが案内部に沿ってスライドして下降していく。したがって、水位が高い状態に合わせて浮歩道を蛇行させることなく、ほぼ一直線状に配置できるので、浮歩道の全長を長めにとることなく、水位変動に対応できる。
また、水位低下に伴ってスライダが案内部に沿ってスライドして下降していくので、浮歩道の両端部は常に水面に浮いており、露出した傾斜面に、浮歩道の両端部の底部が着地することがない。したがって、浮歩道端部の底面と傾斜面との間の摩擦に起因する浮歩道端部の破損がない。
【００２６】
請求項２に記載の発明によれば、案内部が、この案内部の長手方向に沿う歩行路を備えているので、浮歩道が水位低下に伴って低くなっても歩行路を通って浮歩道に容易に到達できる。
【００２７】
請求項３に記載の発明によれば、歩行路の両側に手摺部が設けられているので、歩行路を安全に歩行できる。
【００２８】
請求項４に記載の発明によれば、一対の案内ロッドにそれぞれ設けられたスライダに浮歩道の両側部がそれぞれ連結されているので、浮歩道の端部は水位の低下に伴ってスムーズに下降していく。また、浮歩道の端部の横揺れが防止されているので、浮歩道に安定的に岸から乗り移ることができる。
【図面の簡単な説明】
【図１】本発明の浮歩道の連結構造の一例を示すもので、満水時および渇水時の状態の側面図である。
【図２】同、案内部と歩行路を示す側面図である。
【図３】同、案内部と歩行路を示す平面図である。
【図４】同、スライダを示す斜視図である。
【符号の説明】
１　ダム湖（湖沼）
１ａ　傾斜側面（側面）
２　浮歩道
４　浮体
５　案内部
６　案内ロッド
８　スライダ
１０　歩行路
１２　手摺部
【図１】
2004044174.tif 000003
【図２】
2004044174.tif 000004
【図３】
2004044174.tif 000005
【図４】
2004044174.tif 000006